(57)【要約】【課題】本発明は、ピストンを受け入れるための切抜き部を有する、例えば内燃機関のクランク室の形態をなすワークピースに関する。【解決手段】本発明は、被覆１７を有する切抜き部１２ａ、１２ｂを備えたワークピース１０から始まる。被覆１７により、ピストン１９と切抜き部１２ａ、１２ｂとの間の摩擦係数が可能な限り小さくなる。切抜き部１２ａ、１２ｂの領域からワークピース１１の周囲への所望の熱伝達を非常に正確に設定可能とするために、本発明は、被覆１７の厚さに違いが生じるように切抜き部１２ａ、１２ｂが中空円筒形状とは異なる形状を有することを提案する。それゆえ、切抜き部１２ａ、１２ｂ、したがって被覆１７の輪郭の適切な選択により、切抜き部１２ａ、１２ｂのどの領域に対しても理想的な熱伝達が設定できる。【選択図】図１
2015042899.tif 000002
【特許請求の範囲】
【請求項１】
軸線方向（１３）に沿って往復運動可能なピストン（１９）を受け入れるための切抜き部（１２ａ、１２ｂ、１１２、２１２、３１２、４１２、６１２）を有する基体（１１、１１１、２１１）を備え、前記切抜き部（１２ａ、１２ｂ、１１２、２１２、３１２、４１２、６１２）が前記ピストン（１９）のための滑り面（１８、１１８、２１８、８１８）を形成する被覆（１７、１１７、２１７、３１７、４１７、５１７、６１７）を有し、前記滑り面（１８、１１８、２１８、８１８）が中空円筒形状である、ワークピースにおいて、
前記基体（１１、１１１、２１１）の前記切抜き部（１２ａ、１２ｂ、１１２、２１２、３１２、４１２、６１２）が、前記滑り面（１８、１１８、２１８、８１８）の領域において中空円筒形状とは異なる形状を有することを特徴とするワークピース。
【請求項２】
前記基体（１１、１１１、２１１）の前記切抜き部（１２ａ、１２ｂ、１１２、２１２、３１２、４１２、６１２）が、中空円筒形状の基本形状、及び半径方向への少なくとも１つの切開部（１４、１１４、２１４、３１４、４１４、５１４、６１４、７１４、８１４）を有することを特徴とする、請求項１に記載されたワークピース。
【請求項３】
前記切開部（１４、１１４、２１４、３１４、４１４、５１４、６１４、７１４、８１４）が、周囲を完全に一周していることを特徴とする、請求項２に記載されたワークピース。
【請求項４】
前記切開部（５１４、６１４、７１４）が、異なる深さを有することを特徴とする、請求項２又は請求項３に記載されたワークピース。
【請求項５】
前記切開部（５１４、６１４、７１４）が、前記切開部（５１４、６１４、７１４）の軸線方向縁部領域（５２３、６２３ａ、６２３ｂ）に配置された凹部（５２４、６２４ａ、６２４ｂ）を有することを特徴とする、請求項４に記載されたワークピース。
【請求項６】
前記切開部（１４、１１４、２１４、３１４、４１４、５１４、６１４、７１４、８１４）が、０．５ｍｍ〜２ｍｍの深さ（１５）を有することを特徴とする、請求項２から請求項５までのいずれか一項に記載されたワークピース。
【請求項７】
前記切開部（１４、１１４、２１４、３１４、４１４、５１４、６１４、７１４、８１４）が、５ｍｍ〜５０ｍｍの軸線方向高さ（１６）を有することを特徴とする、請求項２から請求項６までのいずれか一項に記載されたワークピース。
【請求項８】
前記被覆（２１７、３１７、４１７、６１７）が、第１の層（２２１、３２１、４２１、６２１、８２１）及び第２の層（２２２、３２２、４２２、６２２、７２２、８２２）を有し、前記第１の層（２２１、３２１、４２１、６２１、８２１）が、少なくとも部分的には前記第２の層（２２２、３２２、４２２、６２２、７２２、８２２）上に配置されることを特徴とする、請求項１から請求項７までのいずれか一項に記載されたワークピース。
【請求項９】
前記第１の層（２２１、３２１、４２１、６２１）のみが前記滑り面（２１８）を形成することを特徴とする、請求項８に記載されたワークピース。
【請求項１０】
前記第２の層（８２２）が、前記切開部（８１４）の領域で前記滑り面（８１８）を形成し、他の領域では前記第１の層（８２１）が滑り面（８１８）を形成することを特徴とする、請求項８に記載されたワークピース。
【請求項１１】
前記第２の層（２２２、３２２、４２２、６２２、７２２、８２２）が、セラミック材料を含むことを特徴とする、請求項８から請求項１０までのいずれか一項に記載されたワークピース。
【請求項１２】
前記第２の層（２２２、３２２、４２２、６２２、７２２、８２２）が０．５ｍｍ〜２ｍｍの厚さを有することを特徴とする、請求項８から請求項１１までのいずれか一項に記載されたワークピース。
【請求項１３】
前記被覆（１７、１１７、２１７、３１７、４１７、５１７、６１７）が、溶射法によって付着されることを特徴とする、請求項１から請求項１２までのいずれか一項に記載されたワークピース。
【請求項１４】
前記被覆（１７、１１７、２１７、３１７、４１７、５１７、６１７）が、プラズマ溶射法によって付着されることを特徴とする、請求項１３に記載されたワークピース。
【発明の詳細な説明】
【技術分野】
【０００１】
本発明は、請求項１の前文に記載された、ピストンを受け入れるための切抜き部を有するワークピースに係るものである。
【背景技術】
【０００２】
軸線方向に沿って往復運動可能なピストンを受け入れるための複数の切抜き部を有する内燃機関のエンジン・ブロック又はクランク室の形態をなすワークピースが、欧州特許出願公開第１０２２３５１号に記載されている。シリンダの形態をなす切抜き部は、ピストンのための滑り面を形成する被覆を有し、この滑り面は、中空円筒形状である。被覆は、ピストンとシリンダとの間の摩擦係数を可能な限り小さくするために、さらにはスカッフィング傾向を非常に小さくするために付着される。
【０００３】
このような効果に加えて、被覆は、シリンダとその周りを流れる冷却剤との間の熱交換にも影響を及ぼす。通常は、被覆が厚くなるほど、この熱交換は小さくなる。したがって、熱交換は、被覆の厚さの選択に影響を受ける。
【先行技術文献】
【特許文献】
【０００４】
【特許文献１】欧州特許出願公開第１０２２３５１号明細書
【発明の概要】
【発明が解決しようとする課題】
【０００５】
こうした背景をふまえ、本発明の目的は、とりわけ、切抜き部の領域からワークピースの周辺部への所望の熱伝達を非常に正確に設定することの可能な、ピストンを受け入れるための切抜き部を有するワークピースを提案することである。本発明によれば、この目的は、請求項１に記載の特徴を有するワークピースによって満たされる。
【課題を解決するための手段】
【０００６】
本発明によるワークピースは、軸線方向に沿って往復運動可能なピストンを受け入れるための切抜き部を有する基体を備える。切抜き部は、ピストンのための滑り面を形成する被覆を有する。この点に関して、滑り面は中空円筒形状である。
【０００７】
本発明によれば、基体の切抜き部は、滑り面の領域において中空円筒の形状とは異なる形状を有する。ピストンのための滑り面は中空円筒形状であるので、滑り面の領域において被覆の厚さに違いが生じる。しがたって、切抜き部は、どの場合においても、ピストンが往復運動する中軸部において、中空円筒の形状とは異なる形状を有する。切抜き部の輪郭、したがって被覆の厚さを適切に選択することにより、切抜き部のどの領域に対しても理想的な熱伝達を設定することができる。
【０００８】
さらに、被覆は、摩耗が大きい領域において、より厚くすることができる。
【０００９】
言及したワークピースは、とりわけ、内燃機関用のアルミニウム合金若しくはマグネシウム合金若しくは鋳鉄を含むエンジン・ブロック又はクランク室として、或いは特に鋳鉄を含むシリンダ・ライナとして設計される。
【００１０】
滑り面は、被覆を付着した後のワークピースの動作のために必要とされる寸法を正確に有するので、ピストンのための滑り面は、後加工され、とりわけホーニング加工される。
【００１１】
被覆は、例えば、本出願人の欧州特許出願公開第１０２２３５１号に記載されているような鉄を含有する層として設計することができる。この層は、例えば、本出願人の欧州特許出願公開第１５０７０２０号又は欧州特許出願公開第１１７４５２４号に記載されているような材料を含むこともできる。さらに、被覆に適切な他の材料も当然ながら考えられる。
【００１２】
層の厚さは、とりわけ、層が移行領域を除いて２つの異なる厚さしか持たない場合、３０μｍ〜約２ｍｍにできる。一方では、第１の領域が３０μｍ〜２００μｍの第１の厚さを持つ薄い被覆を有し、他方では、第２の領域が０．５ｍｍ〜２ｍｍの第２の厚さを持つ厚い被覆を有する。したがって、ワークピースの周りを流れる冷却剤への熱伝達は、第１の領域よりも大幅に異なり、具体的には小さくなる。この点に関して、第２の領域における熱伝達が減少するか増大するかどうかは、被覆の材料の熱伝導率とワークピースの材料の熱伝導率との比較に依存する。被覆の材料の熱伝導率がワークピースの材料の熱伝導率よりも小さい場合、第２の領域における熱伝達は減少する。そうでない場合、熱伝達は増大する。
【００１３】
本発明の一態様によれば、基体の切抜き部は、中空円筒形状の基本形状、及び半径方向への少なくとも１つの切開部を有する。軸線方向における縁部の移行領域を除いて、切開部は、とりわけ、同じ半径方向深さを有する。移行領域は、とりわけ、傾斜部、斜角面、円弧、又は様々な円弧の組み合わせとして設計することができる。切開部は、切抜き部の縁部に配置することができ、又は、縁部から離間させることもできる。切抜き部は、１つの又はより多くの切開部を軸線方向に有することもできる。したがって、基体の切抜き部の製造が簡単に行える。
【００１４】
切開部又は複数の切開部は、とりわけ、周囲を完全に一周し、円環形状になっている。したがって、切開部は、非常に簡単に作ることができる。被覆は、とりわけ、切抜き部の中に導入された回転プラズマ・トーチによって付着される。基体を回転させて固定トーチを使用することも可能である。切開部が周囲を完全に一周している場合、最初に切開部内だけに被覆を付着させ、切開部が満たされたら、切抜き部全体に被覆を広げることができる。したがって、後の作業ステップにおいて再び取り除かなければならない材料を被覆の製造時に最初に付着させる必要がない。これにより、ワークピースの迅速且つ安価な製造が可能になる。
【００１５】
さらに、シリンダ・ライナとしてワークピースを設計する際は、シリンダ・ライナは、その長手方向軸線に対して対称に設計することができ、それにより、エンジン・ブロック又はクランク室内へのシリンダ・ライナの設置が非常に簡単にできる。
【００１６】
本発明の一態様では、切開部は様々な深さを有する。その深さは、上記で言及した移行領域以外の切開部の半径方向の範囲に関している。切開部は、とりわけ、切開部の軸線方向縁部領域内に配置された凹部を有する。切開部の軸線方向縁部領域は、言及した移行領域のうちの１つに隣接する領域として理解されるべきである。被覆の付着の際にできるだけ少量の材料で間に合わせるためには、切抜き部の軸線方向の範囲全体にわたって被覆を付着させることが必ずしも理にかなっているとは限らず、切開部の領域だけに局所的に制限する方法が理にかなっている。したがって、プラズマ・トーチは、切抜き部内で、また実際には言及した切開部の軸線方向縁部領域において反転させればよい。これにより、縁部領域の外側よりも、反転位置の領域内に、したがって縁部領域内に、より多くの材料が付着することになる。切抜き部が一定の深さを有する場合、この縁部領域内の材料は、後処理において再び取り除かれなければならない。それとは対照的に、切開部が縁部領域に凹部を有する場合、少なくとも付加的材料を凹部に受け入れることができ、それにより、労力をより少なくすることが可能になり、安価な後処理が可能になる。
【００１７】
切開部は、切抜き部の縁部に、又は切抜き部内に配置することができる。切抜き部の縁部への配置では、切開部は、とりわけ、切抜き部の縁部の反対側に配置された移行領域にのみ凹部を有する。そうでない場合、切開部は、とりわけ、両方の移行領域に個別の凹部を有する。
【００１８】
本発明の一態様では、切開部は、０．５ｍｍ〜２ｍｍの深さ、および５ｍｍ〜５０ｍｍの軸線方向高さを有する。
【００１９】
本発明の一態様では、被覆は、第１の層及び第２の層を有し、第１の層は、少なくとも部分的には第２の層上に配置される。この点に関して、２つの層は、異なる特性を有し、とりわけ異なる材料を含む。例えば、遮熱被覆の形態をなす第２の層が、滑り面を形成する第１の層と基体との間に配置される。この点に関して、遮熱被覆は、ピストンのための滑り面の領域全体に形成されてもよく、又は、滑り面の領域の１つ又は複数の部分だけに形成されてもよい。遮熱被覆は、例えば、上記で言及した切開部の内部だけに形成されてもよい。第２の層の材料は、熱伝達が増大するように選択することもできる。第２の層は、ワークピースと第１の層との間の著しく強い接続を可能にする、いわゆるアンダーコートとして設計することもできる。アンダーコートは、熱伝達に対する効果を有することもできる。
【００２０】
切抜き部から周囲への熱伝達は、第２の層を備えることにより、とりわけ遮熱被覆を備えることにより、非常に正確に設定できる。
【００２１】
被覆は、２つ以上の層、即ち、例えば３つ又は４つの異なる層を有することもできる。
【００２２】
本発明の一態様では、第１の層だけが、ピストンのための滑り面を形成する。したがって、第２の層は、滑り面の領域全体において、第１の層とワークピースとの間に配置される。
【００２３】
切開部の縁部領域に位置する上記の凹部は、被覆が２つの層を有し第１の層だけがピストンのための滑り面を形成しなくてはならない場合に、特に有利である。言及した凹部無しでは、切開部の縁部領域における後処理の際に、第１の層が容認できないほどに薄くなるか又はもはや第２の層を覆うことすらなくなるほどの多量の材料を除去しなければならないという虞がある。この場合、ピストンと第２の層との望ましくない、さらには容認できない接触が生じうる。したがって、言及した凹部により、この場合にも所望の被覆を確実に作ることが可能になる。
【００２４】
本発明の一態様では、第２の層が切開部の領域において滑り面を形成し、他の領域においては第１の層が滑り面を形成する。これは、とりわけ、最初に第２の層が一定の厚さで付着され、続いて第１の層が第２の層を覆って付着されることにより実現される。したがって、各層は、切開部の輪郭をたどる。滑り面の後処理を行うと、すなわちとりわけホーニング加工を行うと、第１の層が切開部のあたりの所望の領域において滑り面を形成し、他の領域においては第２の層が滑り面を形成するようにして、処理面、すなわち滑り面の位置及び輪郭が固定される。したがって、簡単且つ安価な方法で、部分的に異なる特性を有する滑り面を提供することができる。
【００２５】
第２の層は、例えば、長い耐用寿命を持った強靱な金属材料で構成することができ、一方で、第１の層は、例えばセラミック特性を有することができる。セラミック特性は、摩擦の軽減において利点を有する。第１の層は、第２の層に比べて粗く且つ約３０μｍ〜６０μｍの粒径を有する粉末で製造される金属層として設計することもでき、それにより、通常は表面気孔率がより大きくなる。この点に関して、表面気孔率が大きいと、例えば、ピストンのピストン・リングがいわゆる流体潤滑の状態により速く達することや、スカッフィング傾向を少なくすることを助けることができる。
【００２６】
遮熱被覆は、とりわけセラミック材料を含む。セラミック材料は、例えば、７５重量パーセントの酸化ジルコニウム（ＺｒＯ２）、１８〜２２重量パーセントの酸化イットリウム（Ｙ２Ｏ３）及び残部として他の酸化物を含む粉末から製造することができる。そのような粉末は、本出願人により「Ｍｅｔｃｏ  ２０２ＮＳ」の販売名で販売されている。遮熱被覆は、例えば０．５ｍｍ〜２ｍｍの厚さを有する。したがって、遮熱被覆を含む領域では、切抜き部から周囲への熱伝達を非常に小さくすることができる。
【００２７】
第２の層は、いわゆるＭＣｒＡｌＹ合金として知られているクロム、アルミニウム及びイットリウムの合金だけでなく、鉄又はコバルト及び／又はニッケルの合金などの他の適切な材料を含むこともできる。そのような合金は、アンダーコートとして頻繁に使用されている。
【００２８】
被覆は、異なる特性及び／又は組成を含む２つよりも多くの異なる層を有することもできる。
【００２９】
本発明の一態様では、被覆は、溶射法によって付着され、とりわけプラズマ溶射法によって付着される。したがって、被覆は、非常に安価に付着させることができる。さらに、非常に耐久性のある被覆を付着させることができる。
【００３０】
被覆の付着は、とりわけ、大気圧でのプラズマ溶射法によって、即ち、いわゆるＡＰＳ被覆法によって行われる。したがって、高品質の被覆を非常に安価に製造できる。被覆材料は、例えば、粉末形状で存在することができる。この点に関して、粒径は、５μｍ〜９０μｍとできる。
【００３１】
高速フレーム溶射又はアーク溶射などの他の熱被覆法も使用できる。
【００３２】
以下の実施例の説明を参照することにより、また、同一であるか又は同一の特徴を有する部材に同じ符号が付された図面を参照することにより、本発明のさらなる利点、特徴及び詳細が得られる。
【図面の簡単な説明】
【００３３】
【図１】２つの内面被覆シリンダを持つクランク室の断面図。
【図２】内面被覆シリンダ・ライナの部分図。
【図３】第１の実施例における２層の被覆を持つシリンダ・ライナの断面図。
【図４】第２の実施例における２層の被覆を持つシリンダ・ライナの断面図。
【図５】第３の実施例における２層の被覆を持つシリンダ・ライナの断面図。
【図６】第２の実施例における単層の被覆を持つシリンダ・ライナの断面図。
【図７】第４の実施例における２層の被覆を持つシリンダ・ライナの断面図。
【図８】図７の被覆とは異なって設計された２層の被覆を持つ、図７によるシリンダ・ライナの断面図。
【図９】第５の実施例における２層の被覆を持つシリンダ・ライナの断面図。
【発明を実施するための形態】
【００３４】
図１に、内燃機関のクランク室１０として設計されたワークピースの断面を示す（他には示されない）。クランク室１０は、原寸に比例しておらず、非常に概略的にのみ示されている。とりわけ、ここで関連する部品は、大幅に拡大されて示されている。
【００３５】
クランク室１０はアルミニウムを含み、シリンダの形態をなす全部で４つの切抜き部を有する基体１１を備えるが、４つの切抜き部のうちの２つの切抜き部１２ａ、１２ｂだけが示されている。示されている２つの切抜き部１２ａ、１２ｂは同じ設計のものであり、そのため、説明は切抜き部１２ａ、１２ｂのうちのどちらにも等しく当てはまる。
【００３６】
切抜き部１２ａ、１２ｂは、切開部１４を有する中空円筒形状の基本形状を備え、切開部１４は、軸線方向１３に関してほぼ中央に配置され、且つ外方にしたがって半径方向に向けられている。したがって、基体１１の切抜き部１２ａ、１２ｂは、中空円筒形状とは異なる形状を有することになる。切開部１４は、周囲を完全に一周し、したがって円環形状の断面を有する。中空円筒形状の基本形状から切開部１４への各移行部は、それぞれ傾斜部として設計される。切開部１４は、中空円筒形状の基本形状に対して、半径方向に０．５ｍｍ〜２ｍｍ、例えば１ｍｍの深さ１５を有する。例えば中空円筒形状の基本形状の直径を８０ｍｍにできるのであれば、切開部１４の高さ１６は５ｍｍ〜５０ｍｍ、例えば２０ｍｍになる。この点に関して、切開部１４の高さ１６は、中空円筒形状の基本形状とは異なる領域の軸線方向の大きさと考えられる。
【００３７】
切抜き部１２ａ、１２ｂは、切抜き部１２ａ、１２ｂ内に配置されるピストン１９のための滑り面１８を形成する被覆１７を有する。滑り面１８は、中空円筒形状であり、ピストン１９は、切抜き部１２ａ、１２ｂ内で軸線方向１３に既知の方法で移動できる。この点に関して、ピストン１９は、内燃機関の動作中に切開部１４を越えて移動する。被覆１７は、ＡＰＳプラズマ溶射法を使用して付着され、続いてホーニング法を使用して後処理される。被覆１７は、本出願人の欧州特許出願公開第１０２２３５１号で説明されているような鉄含有材料を使用して製造される。被覆１７の付着においては、被覆１７は、まず、切抜き部１２ａ、１２ｂの内部全体に付着される。切開部１４の外部に十分な層厚さが達成されると、切開部１４の領域だけを対象として被覆が続けられる。
【００３８】
しかし、最初に切開部内部の被覆だけを付着させ、切開部が満たされて初めて切開部の外部に被覆を付着させることもできる。その他、厚い被覆を全被覆過程中に切抜き部全体に付着させて後処理により中空円筒形状の滑り面を形成することも可能である。
【００３９】
中空円筒形状の滑り面１８と、中空円筒形状とは異なる切抜き部１２ａ、１２ｂの形状との組み合わせにより、半径方向において被覆１７の不均一な厚さが生じる。被覆１７は、確かに特定の軸線方向位置においては全周にわたって同一の厚さである。しかし、この厚さは、別の軸線方向位置においては異なりうる。
【００４０】
切開部１４外の軸線方向１３において、被覆１７は、１００μｍ〜２００μｍ、例えば１５０μｍの第１の厚さＤ１を有する。厚さは、切開部１４の傾斜部を越えて、０．５ｍｍ〜２１ｍｍ、例えば１ｍｍの最大限の第２の厚さＤ２まで増大する。
【００４１】
クランク室１０の基体１１はさらに冷却剤チャネル２０を有し、冷却剤チャネル２０は、内燃機関の動作時にその中を冷却剤が循環してクランク室１０から離れる方向に熱を運ぶ。冷却剤チャネル２０は、切抜き部１２ａ、１２ｂの周囲に延在し、且つ、切開部１４の領域内に配置される。
【００４２】
図２に、シリンダ・ライナ１１０として設計されたワークピースを示す。シリンダ・ライナ１１０は、内燃機関のクランク室（図示されていない）内で使用されるために提供される。シリンダ・ライナ１１０は、原寸に比例しておらず、非常に概略的にのみ示されている。とりわけ、ここで関連する部品は、大幅に拡大されて示されている。
【００４３】
シリンダ・ライナ１１０は、鋳鉄を含み、切抜き部１１２を有する基体１１１を備える。切抜き部１１２は、切開部１１４を有する中空円筒形状の基本形状を備える。切開部１１４は、軸線方向１１３に関して縁部において外方に向けられており、したがって半径方向に向けられている。したがって、基体１１１の切抜き部１１２は中空円筒形状の形状とは異なる形状を有することになる。切開部１１４は同様に、周囲を完全に一周し、したがって円環形状の断面を有する。切開部１１４から中空円筒形状の基本形状への移行部は、傾斜部として設計される。切開部１１４の深さ及び長さは、図１の切開部１４のものと同等である。
【００４４】
切抜き部１１２は、図示されていないが切抜き部１１２内に配置することのできるピストンのための中空円筒形状の滑り面１１８を形成する被覆１１７を有する。被覆１１７は、図１の被覆１７と同じ材料を含み、また、図１の被覆１７と同じ方法を使用して製造される。
【００４５】
中空円筒形状の滑り面１１８と、中空円筒形状の形状とは異なる切抜き部１１２の形状との組み合わせにより、半径方向において被覆１１７の厚さが不均一になる。この点に関して、被覆１１７の厚さは、図１の被覆１７の厚さと同等である。
【００４６】
図２によるシリンダ・ライナの一部分が、図３、図４及び図５にそれぞれ示されている。この点に関して、それぞれの部分は、切抜き部の切開部とともに示されている。図３、図４及び図５における基体並びに切抜き部は、同一の設計である。各実施例は被覆の仕方においてのみ異なり、３つの被覆は全て、重なり合った２つの異なる層を含む。
【００４７】
図３に対応する実施例によれば、切抜き部２１２の被覆２１７は、図示されていないピストンのための滑り面２１８を形成する第１の層２２１を有する。層２２１は、図１の被覆１７と同じ材料を含み、また、図１の被覆１７と同じ方法で製造される。この点に関して、被覆２１７の厚さもまた、図１の被覆１７の厚さと同等である。
【００４８】
遮熱被覆２２２の形態をなす第２の層が、第１の層と基体２１１との間に、軸線方向の範囲全体にわたって配置される。遮熱被覆２２２は、セラミック材料を含み、また実際のところ、「Ｍｅｔｃｏ  ２０２ＮＳ」の販売名で本出願人によって販売されている粉末を含む。遮熱被覆は、０．５ｍｍ〜２ｍｍ、例えば１ｍｍの均一な厚さを有する。遮熱被覆２２２は同様に、ＡＰＳプラズマ溶射法によって付着される。
【００４９】
滑り面２１８が中空円筒形状の設計となるように、第１の層２２１は、図２の被覆１１７と同様に軸線方向に厚さが変化する。したがって、切抜き部２１２の切開部２１４、及び遮熱被覆２２２の均一な厚さが、補償される。
【００５０】
図４による実施例は、図３による実施例とは僅かにしか違わないため、その相違のみを見る。図４による実施例では、被覆３１７の第１の層３２１が、均一な厚さを有し、遮熱被覆３２２の厚さが変化する。遮熱被覆３２２は、切抜き部３１２の切開部３１４を補償するように設計され、その結果、第１の層３２１をすでに中空円筒形状の輪郭に付着させることができる。
【００５１】
図５による実施例は、図４による実施例とは僅かにしか違わないため、その相違のみを見る。図５による実施例では、被覆４１７の遮熱被覆４２２が切抜き部４１２の切開部４１４だけを埋めるように設計され、それにより、均一な厚さの第１の層４２１を付着させられる中空円筒形状の輪郭が形成される。
【００５２】
図６による実施例は、図２による実施例とは僅かにしか違わないため、その相違のみを見る。図６による実施例では、切開部５１４は異なる深さを有する。切開部５１４は、軸線方向縁部領域５２３に周辺凹部５２４を有する。凹部５２４は、一定の斜角面５２６を介して切開部５１４の縁部５２６に接続されるように配置される。凹部５２４は同様に、縁部５２６の反対側に配置された側に斜角面５２７を有する。凹部５２４は、切開部５１４の領域内だけに被覆５１７を付着させる際にプラズマ・トーチの反転により付加的に堆積される材料を受け入れる働きをする。
【００５３】
図７による実施例では、切抜き部６１２の切開部６１４が、図１による切開部１４と概ね同等の配置及び輪郭を有する。それに加えて、切開部６１４が、その２つの軸線方向縁部領域６２３ａ、６２３ｂに、図６による凹部５２４に相当する凹部６２４ａ、６２４ｂを有する。被覆６１７は、第１の層６２１及び第２の層６２２を有し、第２の層６２２は、切開部６１４の領域だけに付着されている。
【００５４】
図８による実施例は、第２の層７２２が、切開部７１４の領域内だけでなくその外側にも付着されるという点においてのみ、図７による実施例とは異なる。
【００５５】
図９による実施例は、図１による実施例とは僅かにしか違わないため、その相違のみを見る。切開部８１４は同様に、一定の深さを有する。最初に第２の層８２２が付着され、それを覆って第１の層８２１が付着され、それぞれがほぼ一定の厚さを有する。したがって、２つの層８２１、８２２は、主として切開部８１４の輪郭をたどる。続く後処理により、第１の層８２１が切開部８１４において滑り面８１８を形成し、他の場所においては第２の層８２２が滑り面８１８を形成するように、処理面が固定される。
【図１】
2015042899.tif 000003
【図２】
2015042899.tif 000004
【図３】
2015042899.tif 000005
【図４】
2015042899.tif 000006
【図５】
2015042899.tif 000007
【図６】
2015042899.tif 000008
【図７】
2015042899.tif 000009
【図８】
2015042899.tif 000010
【図９】
2015042899.tif 000011
【外国語明細書】
2015042899000001.pdf